(57)【特許請求の範囲】
【請求項１】
第１本体と、この第１本体と結合状態となる第２本体と、第１本体と第２本体とを結合するためのファスナーとを備え、
前記ファスナーには、第１本体に設けられた係合部に係合するフックと、第２本体の上面に取付けられた固定部と、この固定部に回動自在に取付けられた操作レバーと、前記フックと前記操作用レバーとを連結する連結ロッドと、前記操作レバーの操作により前記連結ロッドを上下動させる機構とを備え、
第１本体には、前記連結ロッドが上昇すると前記フックが前記係合部に係合状態になり、前記連結ロッドが降下すると前記フックが前記係合部から離脱するとともに第１本体から離れる方向に開くよう制御するカム機構が備えられており、
前記第１本体が容器本体であり、前記第２本体が前記容器本体の蓋体であり、
前記蓋体は、前記容器本体に上方から被せられるように天板を有する筒体で構成され、前記蓋体の外周部に前記ファスナー及び前記カム機構が収納される凹部が形成され、この凹部を覆いで覆って蓋体の外周面を略面一に構成していることを特徴とするファスナー装置。
【請求項２】
第１本体と、この第１本体と結合状態となる第２本体と、第１本体と第２本体とを結合するためのファスナーとを備え、
前記ファスナーには、第１本体に設けられた係合部に係合するフックと、第２本体の上面に取付けられた固定部と、この固定部に回動自在に取付けられた操作レバーと、前記フックと前記操作用レバーとを連結する連結ロッドと、前記操作レバーの操作により前記連結ロッドを上下動させる機構とを備え、
第１本体には、前記連結ロッドが上昇すると前記フックが前記係合部に係合状態になり、前記連結ロッドが降下すると前記フックが前記係合部から離脱するとともに第１本体から離れる方向に開くよう制御するカム機構が備えられており、
前記第１本体が容器本体であり、前記第２本体が前記容器本体の蓋体であり、
前記カム機構は、前記蓋体に設けられた内カムと外カムによって構成され、前記フックの前記連結ロッドとの結合部は内カムと外カムによってサンドイッチ状に配置されており、内カムには前記フックを導く斜面が設けられ、外カムには前記フックの一部が当接して前記フックを前記容器本体から離れる方向に制御する縁部が設けられていることを特徴とするファスナー装置。
【請求項３】
前記ファスナーを複数設けたことを特徴とする請求項１又は２に記載のファスナー装置。
【請求項４】
前記操作レバーの操作により前記連結ロッドを上下動させる機構には、前記固定部に前記操作レバーを回動自在に取付ける第１のボルトと、前記連結ロッドを前記操作レバーに回動自在に取付ける第２のボルトが備えられ、前記操作レバーの操作により、第２のボルトが第１のボルトの周りを回動するよう前記両ボルトが位置付けられていることを特徴とする請求項１又は２に記載のファスナー装置。
【請求項５】
前記連結ロッドの長さを調整することができるボルトとナットを前記連結ロッドに備えたことを特徴とする請求項１又は２に記載のファスナー装置。
【発明の詳細な説明】
【技術分野】
【０００１】  本発明は、容器本体に蓋体を被せて両者を締め付ける場合などに用いるファスナーを備えたファスナー装置に関するものである。
【背景技術】
【０００２】  容器本体の開口部を覆う蓋体を容器本体に被せて両者を締め付けるファスナーは種々のものが存在し市販されている。例えばタキゲン製造株式会社の総合カタログＴＡＫＩＧＥＮ２１−２（平成２１年８月発行）８９４〜９６７頁（非特許文献１）に種々のものが紹介されている。ところが、容器本体の側面に設けた係合凹部にファスナーの一部を係合するタイプの物が存在しない。【０００３】  実公平６−２９１７号公報（特許文献１）には容器本体の縁部（係合部）にファスナーの楔部を係合して容器本体と蓋体を結合するものが示されている。
【先行技術文献】
【０００４】
【特許文献】
【特許文献１】実公平６−２９１７号公報
【非特許文献１】タキゲン製造株式会社の総合カタログＴＡＫＩＧＥＮ２１−２（平成２１年８月発行）８９４〜９６７頁
【発明の概要】
【発明が解決しようとする課題】
【０００５】  この特許文献１に記載の密封容器は、合成樹脂製のファスナーが蓋体に一体にセルフヒンジ状に構成され、合成樹脂の弾力性を利用して密封状態を確立している。例えば、ステンレス製の容器本体にステンレス製の蓋体を被せて両者をしっかりと結合する場合には、特許文献１に記載のものは参考にならない。【０００６】  本発明は、上記に鑑みなされたものであって、全く新しい考え方のものであって操作性が極めて良好なファスナー装置を提供することを目的とする。
【課題を解決するための手段】
【０００７】
本発明のファスナー装置は、第１本体と、この第１本体と結合状態となる第２本体と、第１本体と第２本体とを結合するためのファスナーとを備え、前記ファスナーには、第１本体に設けられた係合部に係合するフックと、第２本体の上面に取付けられた固定部と、この固定部に回動自在に取付けられた操作レバーと、前記フックと前記操作用レバーとを連結する連結ロッドと、前記操作レバーの操作により前記連結ロッドを上下動させる機構とを備え、第１本体には、前記連結ロッドが上昇すると前記フックが前記係合部に係合状態になり、前記連結ロッドが降下すると前記フックが前記係合部から離脱するとともに第１本体から離れる方向に開くよう制御するカム機構が備えられており、前記第１本体が容器本体であり、前記第２本体が前記容器本体の蓋体であり、前記蓋体は、前記容器本体に上方から被せられるように天板を有する筒体で構成され、前記蓋体の外周部に前記ファスナー及び前記カム機構が収納される凹部が形成され、この凹部を覆いで覆って蓋体の外周面を略面一に構成していることを特徴とする。
【０００８】
また、本発明のファスナー装置は、第１本体と、この第１本体と結合状態となる第２本体と、第１本体と第２本体とを結合するためのファスナーとを備え、前記ファスナーには、第１本体に設けられた係合部に係合するフックと、第２本体の上面に取付けられた固定部と、この固定部に回動自在に取付けられた操作レバーと、前記フックと前記操作用レバーとを連結する連結ロッドと、前記操作レバーの操作により前記連結ロッドを上下動させる機構とを備え、第１本体には、前記連結ロッドが上昇すると前記フックが前記係合部に係合状態になり、前記連結ロッドが降下すると前記フックが前記係合部から離脱するとともに第１本体から離れる方向に開くよう制御するカム機構が備えられており、前記第１本体が容器本体であり、前記第２本体が前記容器本体の蓋体であり、前記カム機構は、前記蓋体に設けられた内カムと外カムによって構成され、前記フックの前記連結ロッドとの結合部は内カムと外カムによってサンドイッチ状に配置されており、内カムには前記フックを導く斜面が設けられ、外カムには前記フックの一部が当接して前記フックを前記容器本体から離れる方向に制御する縁部が設けられていることを特徴とする。
また、前記ファスナーを複数設けたことを特徴とする。
また、前記操作レバーの操作により前記連結ロッドを上下動させる機構には、前記固定部に前記操作レバーを回動自在に取付ける第１のボルトと、前記連結ロッドを前記操作レバーに回動自在に取付ける第２のボルトが備えられ、前記操作レバーの操作により、第２のボルトが第１のボルトの周りを回動するよう前記両ボルトが位置付けられていることを特徴とする。
【０００９】
さらに、前記連結ロッドの長さを調整することができるボルトとナットを前記連結ロッドに備えたことを特徴とする。
【発明の効果】
【００１０】  以上のように、本発明のファスナー装置によれば、ファスナーの操作レバーを操作をすることにより、第１本体（容器本体）の係合部に係合していたフックが解除され、さらに第１本体（容器本体）から離れる方向に開くことになるので、手でフックを開く必要が無く、フックに邪魔されることなく第１本体（容器本体）に第２本体（蓋体）を被せることができる。【００１１】  また、ファスナーは蓋体に設けた凹部に収納された状態にしてあり、覆いによって覆われているので、蓋体の外周面は略面一に構成されている。この容器を搬送用梱包箱に収納して搬送するに際し、容器の蓋体の外周面が略面一状態であるので、搬送用梱包箱に容器を収納するとき、搬送用梱包箱の内周面を容器によって傷つけることはない。【００１２】  また、前記連結ロッドの長さを調整することができるボルトとナットを前記連結ロッドに備えているので、ファスナーによる締め付け状態を自由に調整することができる。
【図面の簡単な説明】
【００１３】
【図１】本発明の実施の形態に係るファスナー装置を組込んだ容器の斜視図である。
【図２】同容器の本体の斜視図である。
【図３】同容器を搬送用梱包箱に収納した全体の概略断正面図である。
【図４】同ファスナー装置の要部の斜視図である。
【図５】同ファスナー装置の要部の斜視図である。
【図６】ａ，ｂはそれぞれ同ファスナー装置の部品の斜視図である。
【図７】ａ，ｂ，ｃ，ｄは同ファスナー装置の動作状態を示す断側面図である。
【発明を実施するための形態】
【実施例】
【００１４】  以下、本発明の実施の形態について図面とともに説明する。
図１に示すものは、本発明の実施例のファスナーを４組１，１ａ，１ｂ，１ｃ設けた密封容器２である。密封容器２は容器本体２ａと蓋体２ｂとからなっており、両者はステンレスで構成されている。蓋体２ｂは天板を有する筒体となっていて、容器本体２ａに被せられるようになっている。運搬のための取っ手４も設けられている。
図２に示すように、密封構造とするため、容器本体２ａの上面開口部５の縁部にゴム等の弾性体で構成されたＯリング６が嵌めこまれている。容器本体２ａには、図示していないが、必要に応じ細胞、組織等を入れたマイクロチューブ（密封容器）の収納部を取付けるようにしてもよい。【００１５】  密封容器２は図３に示すように搬送用梱包箱８に収納されて運搬される。図３において９は梱包箱本体、１０はその蓋体ある。
なお、密封容器２を冷却状態で搬送する場合には、搬送用梱包箱８の内壁と密封容器２との間に隙間を作り、ここに保冷材を入れるようにすればよい。【００１６】  次に、図４，５，６，７を用いて本発明の実施例であるファスナー装置を説明する。図１にはファスナーを４組１，１ａ，１ｂ，１ｃ示してあるが全て同じ構造のものであるのでファスナー１について説明する。
容器本体２ａにはファスナー１の下端に設けたフック１６が係合する係合部１２が設けられている。蓋体２ｂの上面にはファスナー１の上端に設けられた固定部１３が取付けられている。１３ａ，１３ｂは取付用のビス孔である。
この固定部１３の端部に操作レバー１４が回動自在に取付けられている。１５は取付用のボルトである。フック１６と操作用レバー１４は連結ロッド１７によって連結され、連結ロッド１７の上端は操作レバー１４に回動自在に取付けられている。１８は連結用のボルトである。
連結ロッド１７の下端はフック１６の上端に回動自在に取付けられている。１９は連結用のボルトである。【００１７】  ファスナー１には、操作レバー１４の操作により連結ロッド１７を上下動させることができる機構が設けられている。つまり、操作レバー１４は固定部１３の端部のボルト１５を支点にして回動する。これに伴って操作レバー１４と連結ロッド１７とを結合しているボルト１８はボルト１５の周囲を回る状態となる。この動きに従って連結ロッド１７は上下動することになる。
連結ロッド１７の下端に連結されているフック１６の先端はＬ字状に成形されていて、容器本体２ａに設けた係合部１２と係合するように構成されている。【００１８】  フック１６の上端の外側に凹部１６ａが設けられている。
連結ロッド１７の中間はボルト１７ａとなっていてこれに螺合している２個のナット１７ｂ，１７ｃにより連結ロッド１７の全体の長さを微調整できるよう構成されている。連結ロッド１７の全体長を短くするほど、操作レバー１４による締め付けがきつくなる。【００１９】  蓋体２ｂの側面には、コ字状の切欠き凹部２０が蓋体２ｂの上端から下端にかけて形成されていて、この凹部２０に連結ロッド１７、フック１６の上端部が挿入されている。凹部２０の深さは連結ロッド１７、フック１６が蓋体２ｂの外周面から突出しないように設定されている。【００２０】  連結ロッド１７が上昇するとフック１６の先端部が容器本体２ａの係合部１２に係合状態になり、連結ロッド１７が降下するとフック１６の先端部が係合部１２から離脱するとともに容器本体２ａから離れる方向に開くよう制御するカム機構２１が蓋体２ｂに設けられている。
カム機構２１は２枚のカムで構成されており、１枚目は図６ｂに詳細を示す内カム２２であり、２枚目は図６ａに示す外カム２３である。内カム２２には斜面２２ａが設けられているのが特徴である。内カム２２は図４に示すように凹部２０の底にねじ止めされる。図６ｂの２２ｂは取付用のねじ穴である。外カム２３には縁部２３ａが設けられているのが特徴である。外カム２３も凹部２０にねじ止めされる。図６ａの２３ｂは取付用のねじ穴である。【００２１】  連結ロッド１７は内カム２２と外カム２３によってサンドイッチ状態にされる。外カム２３も蓋体２ｂの外周面から突出しないよう構成される。凹部２０は図１に示すように覆い２４によって目隠し状態にされる。２４ａは覆い２４の取付けねじである。覆い２４の外周面は蓋体２ｂの外周面と略面一に形成されている。実施例では覆い２４の外周面の方が蓋体２ｂの外周面より少し突出している。【００２２】  内カム２２は蓋体２ｂと一体に構成してもよく、また、連結ロッド１７を挿入することができるのであれば、外カム２３も蓋体２ｂと一体に構成してもよい。さらに、カム機構２１は内カム２２、外カム２３により構成したが、これに限らず、連結ロッド１７が上昇するとフック１６の先端部が容器本体２ａの係合部１２に係合状態になり、連結ロッド１７が降下するとフック１６の先端部が係合部１２から離脱するとともに容器本体２ａから離れる方向に開くよう制御するカム機構であれば、他の機構を用いてもよい。【００２３】
次に、このファスナー装置の動作について図７を用いて説明する。
図７ａは、容器本体２ａと蓋体２ｂとがファスナー１によって結合されている状態を示している。つまり、フック１６の先端部が容器本体２ａの係合部１２と係合しており、操作レバー１４は固定部１３にその先端が当たるように閉じられている。
【００２４】  次に、図７ｂに示すように、操作レバー１４を開いてゆくと、固定部１３の端部のボルト１５を支点にして操作レバー１４は回動する。これに伴って操作レバー１４と連結ロッド１７とを結合しているボルト１８はボルト１５の周囲を回る状態となる。従って、この動きに従って連結ロッド１７は下降することになる。すると、フック１６もこの動作とともに下降して行き、フック１６の先端部は容器本体２ａの係合部１２から離れる。【００２５】  次に、図７ｃに示すように、さらに操作レバー１４を開くと、連結ロッド１７はさらに下降する。このときフック１６の上端の角（図の左の角）部分が内カム２２の斜面２２ａを滑り降りる。これと同時に、フック１６の凹部１６ａが外カム２３の縁部２３ａに当たり、これによってフック１６はボルト１９を支点として反時計方向に回動する。つまり、フック１６の先端部は容器本体２ａから離れる方向に移動することになる。【００２６】  操作レバー１４を最大限に開いた状態を図７ｄに示す。フック１６の先端部は容器本体２ａから離れた状態で停止する。この状態で蓋体２ｂを容器本体２ａから上方に向けて分離することができる。
図１に示すように、ファスナーは１，１ａ，１ｂ，１ｃと４セット存在する。各ファスナーのフックはすべて図７ｄに示すと同様に、開いている。再度蓋体２ｂを容器本体２ａに装着する場合、各ファスナーの操作レバーを図７ｄに示すように最大限開いた状態にしておくと、各ファスナーのフックが開いた状態になり、フックが邪魔になることなく図７ｄに示すように容器本体２ａと蓋体２ｂを位置させることができる。【００２７】  もし、各ファスナーのフックが開いた状態にならないと、手で各フックをいちいち開いた状態にしないと、容器本体２ａに蓋体２ｂを被せることができない。この点、この実施例ではフックが操作レバー１４の動きにつれて自動的に開くので、蓋体２ｂを容器本体２ａに被せる操作は極めて容易になる。
そして、ファスナー１は蓋体２ｂの凹部２０に収納された状態にしてあり、覆い２４によって覆われているので、蓋体２ｂの外周面は略面一に構成されている。図３に示すように、密封容器２は搬送用梱包箱８に収納されて搬送される。密封容器２の蓋体２ｂの外周面が略面一状態であると、搬送用梱包箱８に密封容器２を収納するとき、搬送用梱包箱８の内周面を密封容器２によって傷つけることはない。【００２８】
実施例では密封容器２としたが、密封容器である必要はなく、Ｏリング等を持たない通常の容器でもよい。また、ファスナーを４個設けたが、少なくとも一個有れば容器本体２ａと蓋体２ｂとを結合できる。１個で不安定な場合には２個設ければ良い。密封容器の場合には４個程度設けるのが良く、複数個で実現できる。
本発明のファスナー装置は、第１本体と第２本体とを結合するものであり、実施例の場合、第１本体が容器本体２ａ、第２本体が蓋体２ｂである。他の例としては、レース用の車の車体を容器本体とし、ボンネットを蓋体とし、両者を複数のファスナーで結合する場合等に利用できる。レース用のボンネットは緊急時には外部から早く取り外すことが要求されるので、本発明のファスナー装置を利用することができる。
【産業上の利用可能性】
【００２９】  本発明は、密封容器等の容器本体と蓋体とを結合する場合等に用いて有用である。
【符号の説明】
【００３０】  １，１ａ，１ｂ，１ｃ：ファスナー
２：密封容器
２ａ：容器本体
２ｂ：蓋体
１２：係合部
１３；固定部
１４：操作レバー
１５：ボルト
１６：フック
１７：連結ロッド
１７ａ：ボルト
１７ｂ，１７ｃ：ナット
１８，１９：連結用ボルト
２０：凹部
２１：カム機構
２２：内カム
２２ａ：斜面
２３：外カム
２３ａ：縁部
２４：覆い
【図１】
0005802102.tif 000002
【図２】
0005802102.tif 000003
【図３】
0005802102.tif 000004
【図４】
0005802102.tif 000005
【図５】
0005802102.tif 000006
【図６ａ】
0005802102.tif 000007
【図６ｂ】
0005802102.tif 000008
【図７ａ】
0005802102.tif 000009
【図７ｂ】
0005802102.tif 000010
【図７ｃ】
0005802102.tif 000011
【図７ｄ】
0005802102.tif 000012